(57)【特許請求の範囲】
【請求項１】
記録ヘッドと、該記録ヘッドの状態を維持回復するための維持回復装置と、当該記録装置に脱着可能に設けられ前記維持回復装置からの廃液を収容する廃液タンクと、前記維持回復装置と前記廃液タンクとの間に配置され両者間を連通及び遮断させるシャッタ機構とを備えるインクジェット記録装置において、
前記シャッタ機構は、前記維持回復装置と前記廃液タンクとを連絡するダクトを開放する位置と閉鎖する位置とにスライド移動するシャッタ部材を有し、
当該記録装置に着脱可能に設けられ、装着状態で前記シャッタ部材を前記開放位置に保持させる保持部材を有し、
前記シャッタ部材は、前記保持部材を当該記録装置に装着する動作により、前記保持部材の当該記録装置内部への装着移動に応じて保持部材装着方向と逆方向である装置本体の外側方向へ向けて移動するよう構成されるとともに、
前記シャッタ部材が前記ダクトを閉鎖する方向に付勢されており、前記廃液タンクを取り外す際に、前記保持部材を当該記録装置から取り外すことによって、前記廃液タンクの取り外しを開始する時点で前記ダクトが前記シャッタ部材により閉鎖されていることを特徴とするインクジェット記録装置。
【請求項２】
前記保持部材の当該記録装置からの取外し方向と前記シャッタ部材の閉鎖位置への移動方向とが逆方向となるように構成されていることを特徴とする、請求項１に記載のインクジェット記録装置。
【請求項３】
前記保持部材は、１対のラック部材をギヤで連結したラックアンドピニオン方式の駆動機構を介して前記シャッタ部材を移動させるよう構成され、
前記保持部材で前記一方のラック部材を保持部材装着方向に押し込むことにより、前記他方のラック部材が前記保持部材取り外し方向に移動し前記シャッタ部材が開放位置に移動されてシャッタが開放されることを特徴とする、請求項１又は２に記載のインクジェット記録装置。
【請求項４】
前記保持部材はプーリとワイヤ部材による駆動機構を介して前記シャッタ部材を移動させることを特徴とする、請求項１又は２に記載のインクジェット記録装置。
【請求項５】
前記保持部材を当該記録装置から取り外すことにより、前記シャッタ機構が自動的に閉鎖されることを特徴とする、請求項１〜４のいずれか１項に記載のインクジェット記録装置。
【請求項６】
前記保持部材は前記廃液タンクの取り外し時に当該記録装置から取り外す必要のある部材であることを特徴とする、請求項５に記載のインクジェット記録装置。
【請求項７】
前記保持部材が前記廃液タンクを当該記録装置に固定する部材と一体的に構成されていることを特徴とする、請求項１〜６のいずれか１項に記載のインクジェット記録装置。
【請求項８】
前記保持部材が前記廃液タンクの当該記録装置への脱着時に開放または取り外される外装カバーと一体的に構成されていることを特徴とする、請求項１〜６のいずれか１項に記載のインクジェット記録装置。
【請求項９】
前記保持部材が前記廃液タンクと一体的に構成されていることを特徴とする、請求項１〜６のいずれか１項に記載のインクジェット記録装置。
【発明の詳細な説明】
【技術分野】
【０００１】
本発明は、インクジェット記録装置に関するものである。
【背景技術】
【０００２】
【特許文献１】特開平１１−３３４１１０号公報
【０００３】
インクジェット記録装置では、微細な吐出口からインク滴を吐出させるため、乾燥によるインクの増粘や固着あるいはインク中に生じる気泡などに起因して吐出口に目詰まりが発生し、吐出不良になることがある。そこで、このような吐出不良を防止するために、インク吐出機能を正常な状態に維持・回復するための維持回復装置が設けられている。
【０００４】
通常、維持回復装置においては、加圧手段などでインクを記録ヘッド内に充填させて吐出口を回復させる方法、インクの予備吐出（空吐出）を行う方法、記録ヘッドのノズル面を拭き取るワイピングなどの方法が用いられる。なお、２つ以上の方法を組み合わせる場合もある。
【０００５】
維持回復装置による記録ヘッドの性能回復動作が行われることによって、記録に用いられないインク（廃インク）が排出されることになり、その廃インクを収容するための廃液タンクが設けられている。特許文献１には、廃液タンクを備えるインクジェット記録装置の一例が開示されている。
【発明の開示】
【発明が解決しようとする課題】
【０００６】
近年、ビジネスユースに対応するインクジェット記録装置においては、上記廃液タンクの交換やメンテナンスを行なうため、廃液タンクを記録装置本体に対して脱着可能に構成したものがある。そのような構成の記録装置では、廃液タンクを取り外した際の維持回復装置からのインク落下による記録装置内部の汚染を防ぐために、維持回復装置と廃液タンクの間にシャッタ機構を設け、廃液タンク取外し時にシャッタが閉まるように構成されている。
【０００７】
ところが、従来のシャッタ機構においては、廃液タンク取外し時に閉鎖されたシャッタを、廃液タンクを取り付ける動作によってシャッタを開くように構成していた。すなわち、廃液タンクによってシャッタを記録装置の内部方向に押し開くため、シャッタが装置内部に移動できるだけのスペースが必要であり、装置レイアウト上で不都合を生じることがあるという問題があった。特に、装置小型化が要求される場合には、構成上不利である。
【０００８】
本発明は、従来のインクジェット記録装置における上述の問題を解決し、装置レイアウト上の自由度に優れたインクジェット記録装置を提供することを課題とする。
【課題を解決するための手段】
【０００９】
前記の課題は、本発明により、記録ヘッドと、該記録ヘッドの状態を維持回復するための維持回復装置と、当該記録装置に脱着可能に設けられ前記維持回復装置からの廃液を収容する廃液タンクと、前記維持回復装置と前記廃液タンクとの間に配置され両者間を連通及び遮断させるシャッタ機構とを備えるインクジェット記録装置において、前記シャッタ機構は、前記維持回復装置と前記廃液タンクとを連絡するダクトを開放する位置と閉鎖する位置とにスライド移動するシャッタ部材を有し、当該記録装置に着脱可能に設けられ、装着状態で前記シャッタ部材を前記開放位置に保持させる保持部材を有し、前記シャッタ部材は、前記保持部材を当該記録装置に装着する動作により、前記保持部材の当該記録装置内部への装着移動に応じて保持部材装着方向と逆方向である装置本体の外側方向へ向けて移動するよう構成されるとともに、前記シャッタ部材が前記ダクトを閉鎖する方向に付勢されており、前記廃液タンクを取り外す際に、前記保持部材を当該記録装置から取り外すことによって、前記廃液タンクの取り外しを開始する時点で前記ダクトが前記シャッタ部材により閉鎖されていることにより解決される。
【００１０】
また、前記保持部材の当該記録装置からの取外し方向と前記シャッタ部材の閉鎖位置への移動方向とが逆方向となるように構成されていると好ましい。
また、前記保持部材は、１対のラック部材をギヤで連結したラックアンドピニオン方式の駆動機構を介して前記シャッタ部材を移動させるよう構成され、前記保持部材で前記一方のラック部材を保持部材装着方向に押し込むことにより、前記他方のラック部材が前記保持部材取り外し方向に移動し前記シャッタ部材が開放位置に移動されてシャッタが開放されると好ましい。
【００１１】
また、前記保持部材はプーリとワイヤ部材による駆動機構を介して前記シャッタ部材を移動させると好ましい。
また、前記保持部材を当該記録装置から取り外すことにより、前記シャッタ機構が自動的に閉鎖されると好ましい。
【００１２】
また、前記保持部材は前記廃液タンクの取り外し時に当該記録装置から取り外す必要のある部材であると好ましい。
また、前記保持部材が前記廃液タンクを当該記録装置に固定する部材と一体的に構成されていると好ましい。
【００１３】
また、前記保持部材が前記廃液タンクの当該記録装置への脱着時に開放または取り外される外装カバーと一体的に構成されていると好ましい。
また、前記保持部材が前記廃液タンクと一体的に構成されていると好ましい。
【発明の効果】
【００１６】
本発明のインクジェット記録装置によれば、保持部材を装置内部へ向かって装着するように構成してやれば、シャッタ部材が開放する際の移動方向を装置外部側（外向き）とすることができ、装置内部側に余分なスペースを必要とせず、装置レイアウト上で不都合を生じることがない記録装置を提供できる。特に、装置小型化が要求される場合には有利である。
【００１７】
請求項２の構成により、装置外部側（外向き）に保持部材を取り外すよう構成してやれば、シャッタを閉める方向が装置内部向きとなり、保持部材の取り外し作業が容易になる。また、その容易な動作によりシャッタを閉めることが可能になる。
【００１８】
請求項３の構成により、ラックアンドピニオン方式の駆動機構を用いることで、保持部材とシャッタ部材の移動方向を逆向きとすることが実現できる。
請求項４の構成により、プーリとワイヤ部材による駆動機構を用いることで、保持部材とシャッタ部材の移動方向を逆向きとすることが実現できる。
【００１９】
請求項５の構成により、保持部材を当該記録装置から取り外すことによりシャッタ機構が自動的に閉鎖されるので、シャッタを容易に閉めることができる。
請求項６の構成により、保持部材は廃液タンクの取り外し時に当該記録装置から取り外す必要のある部材であるので、廃液タンク取外し時における保持部材の取外し動作によってシャッタを閉めることが可能となる。
【００２０】
請求項７，８，９の構成により、廃液タンクをセットしたときのシャッタ開け忘れを防ぐことができる。また、部品点数を減少させることによって作業が容易になる。
【発明を実施するための最良の形態】
【００２４】
以下、本発明の実施の形態を図面に基づいて説明する。
図１は、本発明に係るインクジェット記録装置の一例であるインクジェット複写装置の内部構成を示す断面図である。この図に示すように、本例のインクジェット複写装置１００は、装置下部にプリンタ部２を、装置上部にスキャナ部３を配置し、間に排紙部４を設けた構成となっている。なお、プリンタ機能及びＦＡＸ機能を備えた複合機として構成することも可能である。
【００２５】
スキャナ部３は、コンタクトガラス３１の下方に走査手段３２が走行可能に配設されており、光源により照明された原稿からの反射光をミラー・レンズ等を介してＣＣＤ３３に導き、原稿画像の読み取りが行われる。コンタクトガラス３１の上方には、圧板３４が開閉可能に設けられている。
【００２６】
プリンタ部２は、下方に給紙部２１を配置し、その上部にはインクジェットエンジン２５やインクカートリッジ装着部３０が配置されている。給紙部２１では、転写紙等の記録媒体を収納する用紙カセット２２や、その用紙カセット２２から用紙を１枚ずつ給紙するための給紙手段２３等が設けられている。その給紙部２１から排紙部４に到る記録紙搬送路が図に一点鎖線で示すように形成され、その記録紙搬送路中の所定個所に搬送ローラ２４が適宜設置され、用紙は排紙ローラ２９により排紙トレイ４１上に排出される。
【００２７】
インクジェットエンジン２５は、静電吸着ベルト２６を用いた用紙搬送システムを採用しており、従来のローラ搬送方式に比べて安定した紙送りが可能である。キャリッジ２７は印字ヘッド２８を搭載し、主走査方向（図２の図面に垂直な方向）に往復移動して印字を行う。本例の印字ヘッド２８は、シアン（Ｃ），マゼンタ（Ｍ），イエロー（Ｙ），ブラック（Ｂｋ）の各色毎に１ヘッドの４ヘッド構成である。ただしヘッド数はこれに限らず、２色で１ヘッドの２ヘッド構成等でも良い。
【００２８】
本例のインクジェット複写装置１００は各色インクカートリッジ３５を印字ヘッドとは別に搭載し、このカートリッジ３５内のインクが図示しない供給チューブを介して印字ヘッド２８に供給される。各色インクカートリッジをヘッドとは別に搭載する方式は、プリントの高速化に伴うインク消費の増大に対応する大容量タイプのカートリッジを使用可能であり、ビジネスユーズに適した方式である。また、本例では、消費量の大きい黒（Ｂｋ）用のインクカートリッジを２個装着でき、他のイエロー（Ｙ），マゼンタ（Ｍ），シアン（Ｃ）用のインクカートリッジとともに、計５個のインクカートリッジ３５がカートリッジ装着部３０にセットされている。
【００２９】
キャリッジ２７の主走査方向一方側（本例では装置奥側）の非印字領域でヘッド２８の下部に位置して、印字ヘッド２８のノズルの状態を維持・回復するための維持回復ユニット４０（図に破線で示す）が設けられている。維持回復ユニット４０は、本例ではインクの予備吐出（空吐出）とノズルのワイピングが可能に構成されている。そして、インクの予備吐出（空吐出）に伴い必要となる廃液タンク５０（図に破線で示す）が、維持回復ユニット４０の下部に設けられている。この廃液タンク５０は装置本体から脱着可能になっている。プリンタ部２の図において右側面には開放可能な側面カバーが設けられており、廃液タンク５０の交換は該側面カバーを開放して行なう。
【００３０】
図２は、維持回復ユニット４０と廃液タンク５０を示す斜視図である。また、図３は、維持回復ユニット４０を取り除いた様子を示す斜視図である。
これらの図に示すように、廃液タンク５０は維持回復ユニット４０の下部に位置しており、維持回復ユニット４０と廃液タンク５０とはダクト４１で連絡される。上記ダクト４１と後述するシャッタ機構６０が、ブラケット４２を介して維持回復ユニット４０の下に取り付けられている。なお、シャッタ機構６０はブラケット４２の下面に装着支持される。そして、ブラケット４２が装置本体に固定されることによって、維持回復ユニット４０（及びシャッタ機構６０）が廃液タンク５０の上で装置本体に支持され、上記ダクト４１の下部開口が廃液タンク５０の図示しない開口（受け口）の上に位置される。
【００３１】
廃液タンク５０は装置本体に脱着可能に設けられているが、廃液タンク５０を装置本体に固定するためのタンク固定部材５１が、廃液タンク５０の側面に位置して設けられている。タンク固定部材５１は、図の右側端部を装置本体側の側板４３に嵌合され、図の左側端部で装置本体にネジ止めされる。また、タンク固定部材５１の片側上方には、シャッタ開閉ブラケット５２が配置されている。このシャッタ開閉ブラケット５２は、図示しない固定部により装置本体に固定され、廃液タンク５０の側面を押さえるようになっている。したがって、装置本体に脱着可能に設けられた廃液タンク５０は、タンク固定部材５１及びシャッタ開閉ブラケット５２を取り外すことにより、廃液タンク５０の取り出しが可能となる。
【００３２】
図４，５は、シャッタ機構６０の構成と動作を説明する図で、図４は、シャッタが開いた状態を、図５はシャッタが閉じた状態を示す。なお、図４，５は、シャッタ部を下方から見た底面図となっている。そのため、図４，５における各部材の位置関係は、図２，３の場合とは異なっている。
【００３３】
図４，５に示すように、シャッタ機構６０はシャッタ部材６１、１対のラック部材６２，６３、ピニオンギヤ６８等により構成されている。本例では、一方のラック部材６２はシャッタ部材６１と一体的に形成されている。ラック部材６２，６３にはそれぞれスリット６２ａ及び６３ａが設けられており、そのスリット６２ａ及び６３ａに遊嵌される支持部材６４，６４及び６５，６５により前述したブラケット４２の下面にスライド可能に装着されている。ラック部材６２，６３の対向する面にはラック６６，６７が形成されており、ブラケット４２の下面に回動可能に支持されたピニオンギヤ６８に噛み合わされている。これにより、ラック部材６２（及びシャッタ部材６１）とラック部材６３が連動して図の左右方向に互いに逆向きにスライド移動可能となっている。
【００３４】
一方側のラック部材６３一端部には、スプリング係止部６９が設けられており、この係止部６９とスプリング係止部５３との間に引張りスプリング５４（図に一部のみを示す）が張設されている。したがって、ラック部材６３には、図において左方への付勢力が与えられている。なお、スプリング係止部５３は、本実施例では維持回復ユニット４０に設けられている。
【００３５】
図４（および図２，３）に示すように、シャッタ開閉ブラケット５２を装置本体に取り付けた（図示しないネジにより固定されている）状態では、シャッタ開閉ブラケット５２が一方側のラック部材６３を図の右側（装置本体の内部側）に押し込み、これにより、反対側のラック部材６２（とシャッタ部材６１）が図の左側（装置本体の外側）に移動して、ダクト４１の下面が開放される。すなわち、シャッタが開放された状態である。シャッタ開閉ブラケット５２は、装置本体に装着した状態でシャッタ部材６１を開放位置に保持させる保持部材である。
【００３６】
図５に示すように、シャッタ開閉ブラケット５２を装置本体から取り外すと、シャッタ開閉ブラケット５２によるラック部材６３の押し込みが解除され、引張りスプリング５４の引っ張り力により一方側のラック部材６３が図の左側（装置本体の外側）に移動される。これにより、反対側のラック部材６２（とシャッタ部材６１）が図の右側（装置本体の内部側）に移動し、ダクト４１の下にシャッタ部材６１が来てダクト４１の下面が閉鎖される。すなわち、シャッタが閉鎖された状態である。
【００３７】
本例において、廃液タンク５０を装置本体から取り外す場合、シャッタ開閉ブラケット５２を取り外し、さらに、図２，３に示されるタンク固定部材５１を取り外す。そして、廃液タンク５０を装置外側方向（図５のタンク取外し方向）に引き出すことによって、廃液タンク５０が装置本体から取り外される。その際、シャッタ開閉ブラケット５２が取り外されることによって、シャッタ機構６０はシャッタが自動的に閉鎖される。したがって、廃液タンク５０の取り外し時に、維持回復ユニット４０よりインクがダクト４１から下方に、すなわち廃液タンク５０を取り外した状態の装置内部にインクが漏れることがない。そのため、装置内部の汚染が防止される。
【００３８】
廃液タンク５０を装置本体に取り付ける場合、廃液タンク５０を装置内部にセットし、タンク固定部材５１を取り付ける。さらに、引張りスプリング５４の引っ張り力に抗してシャッタ開閉ブラケット５２でラック部材６３を装置内部に押し込み、シャッタ開閉ブラケット５２を装置本体に固定する。このシャッタ開閉ブラケット５２の取り付け動作によって、シャッタ機構６０はシャッタが自動的に開放される。
【００３９】
ところで、シャッタ開閉ブラケット５２は、図２，３で説明したように、廃液タンク５０の側面を押さえる部材であるため、廃液タンク５０を装置本体から取り外す場合には必ず取り外す必要のある部材である。そのシャッタ開閉ブラケット５２を取り外すことによりシャッタ機構６０はシャッタが自動的に閉鎖されるため、本例のインクジェット複写装置１００においては、廃液タンク５０の取り外し時にシャッタ機構６０が閉鎖され、維持回復ユニット４０からのインク漏れが確実に防止される。
【００４０】
また、本実施形態では、シャッタ部材６１と、その保持部材であるシャッタ開閉ブラケット５２との間にラックアンドピニオン機構を介在させているため、シャッタ開閉ブラケット５２の着脱方向とシャッタ部材６１の移動方向（シャッタ開閉方向）が逆方向になる。
【００４１】
すなわち、図４に装着方向として矢印で示すように、図において右向きがシャッタ開閉ブラケット５２の装着方向であり（同時に廃液タンク５０の装着方向でもある）、これに対して、シャッタが開く方向はシャッタ部材６１が図５から図４の位置に移動する方向、すなわち図において左向きであり、逆方向となっている。
【００４２】
シャッタ開閉ブラケット５２を取り外すときは、図５に取外し方向として矢印で示すように、図において左向きがシャッタ開閉ブラケット５２の取外し方向であり（同時に廃液タンク５０の取外し方向でもある）、これに対して、シャッタが閉まる方向はシャッタ部材６１が図４から図５の位置に移動する方向、すなわち図において右向きであり、逆方向となっている。
【００４３】
このように、本実施形態では、シャッタ開閉ブラケット５２の着脱方向とシャッタ部材６１の移動方向（シャッタ開閉方向）が逆方向になるよう構成されている。したがって、シャッタ開閉ブラケット５２を装置本体の内部側に向けて装着することにより、シャッタ部材６１が装置外側方向に移動してシャッタが開放される。つまり、シャッタ開放時にシャッタ部材６１が移動するためのスペースは、ダクト４１の外側（装置本体の外部側）であり、したがって、シャッタを開放するためのスペースがダクト４１の内側（装置本体の内部側）に必要ではない。よって、装置内部側に余分なスペースを必要とせず、装置レイアウト上で不都合を生じることがなく、特に、装置小型化が要求される場合には有利な構成である。
【００４４】
また、本実施形態では、上述したように、ブラケット４２を介してシャッタ機構６０を維持回復ユニット４０の下に装着支持させた構成となっているので、ブラケット４２を装置本体から取り外して、維持回復ユニット４０を記録装置本体から取り外す場合にも、シャッタ開閉ブラケット５２とラック部材６３との係合が（シャッタ開閉ブラケット５２によるラック部材６３の押し込みが）解除され、引張りスプリング５４の引っ張り力によってシャッタ部材６１がダクト４１の下に移動してシャッタが閉鎖される。したがって、維持回復ユニット４０のメンテナンス等を行なう場合にも、維持回復ユニット４０からのインク漏れが防止される。もちろん、装置内部の他のメンテナンスを実施するために維持回復ユニット４０を取り外す場合も同様に、維持回復ユニット４０からのインク漏れが防止される。
【００４５】
次に、上記シャッタ開閉ブラケット５２を他の部材と一体化させた例について説明する。
図６は、上記タンク固定部材５１とシャッタ開閉ブラケット５２を一体化させたタンク固定及びシャッタ開閉部材１５０を示す斜視図である。この図に示すタンク固定及びシャッタ開閉部材１５０は、タンク固定部１５１とシャッタ開閉部１５２とを有している。本例のタンク固定及びシャッタ開閉部材１５０では、タンク固定部１５１とシャッタ開閉部１５２とが一体化されているため、廃液タンク５０の交換時にタンク固定及びシャッタ開閉部材１５０を取り外すことによりシャッタ機構６０が閉鎖されるので、維持回復ユニット４０からのインク漏れが確実に防止される。また、部品点数が少なくなり、廃液タンク５０の交換時における部材取り外し及び装着作業の手間を省くことができる。
【００４６】
そして、廃液タンク５０を装置本体にセットした後、タンク固定及びシャッタ開閉部材１５０を装着することにより、シャッタ開閉部１５２がシャッタ機構６０を開放させるので、シャッタ開閉ブラケットの付け忘れによってシャッタ機構６０が閉鎖されたままとなることがなく、装置作動時における維持回復ユニット４０の動作に影響を及ぼすことがない。なお、タンク固定部１５１とシャッタ開閉部１５２を一部材で構成せずに、別部材として両者を固定により一体化させた構成でも構わない。
【００４７】
図７は、上記シャッタ開閉ブラケット５２を装置の外装カバーとを一体化させた側面カバー２５０を示す斜視図である。この図に示す側面カバー２５０は、外装カバー部２５１とシャッタ開閉部２５２とを有している。本例の側面カバー２５０では、外装カバー部２５１がタンク固定部を兼ねている。したがって、廃液タンク５０の交換時には、側面カバー２５０を装置本体から取り外すあるいは開放することによりシャッタ機構６０が閉鎖されるので、維持回復ユニット４０からのインク漏れが確実に防止される。また、部品点数が少なくなり、廃液タンク５０の交換時における部材取り外し及び装着作業の手間を省くことができる。
【００４８】
そして、廃液タンク５０を装置本体にセットした後、側面カバー２５０を装着又は閉めることにより、シャッタ開閉部２５２がシャッタ機構６０を開放させるので、シャッタ開閉ブラケットの付け忘れによってシャッタ機構６０が閉鎖されたままとなることがなく、装置作動時における維持回復ユニット４０の動作に影響を及ぼすことがない。なお、外装カバー部２５１とシャッタ開閉部２５２を一部材で構成せずに、別部材として両者を固定により一体化させた構成でも構わない。
【００４９】
また、図示を省略するが、上記シャッタ開閉ブラケット５２を廃液タンク５０と一体化させることも可能である。すなわち、廃液タンク５０の上面にシャッタ開閉ブラケットを凸設するか、別部材として廃液タンク５０の上面に固定しても良い。この構成の場合、廃液タンク５０を装置本体から取り外すことによりシャッタ機構６０が閉鎖され、廃液タンク５０を装置本体にセットすることによりシャッタ機構６０が開放される。したがって、シャッタ開閉ブラケットの付け忘れによってシャッタ機構６０が閉鎖されたままとなることがなく、装置作動時における維持回復ユニット４０の動作に影響を及ぼすことがない。また、部品点数が少なくなり、廃液タンク５０の交換時における部材取り外し及び装着作業の手間を省くことができる。
【００５０】
次に、プーリとワイヤ部材を用いた機構によりシャッタ部材６１を移動させるようにした構成例について説明する。なお、ワイヤ部材はワイヤに限定されるものではなく、ひも状（ワイヤ状）の部材全般を指すものとする。
【００５１】
図８は、プーリとワイヤ部材を用いてシャッタを開閉させるための駆動機構の構成と動作を示す模式図である。この図に示す駆動機構は、第１及び第２移動部材７１，７２、プーリ７３，７４、第１及び第２ワイヤ８１，８２等により構成される。図８（ａ）ではワイヤ８１，８２を同時に図示した本来の状態で示すが、各ワイヤの状態を判り易くするため、図８（ｂ），（ｃ）では第１ワイヤ８１のみ、図８（ｄ），（ｅ）では第２ワイヤ８２のみで図示している。
【００５２】
これらの図に示すように、第１ワイヤ８１は、その一端が第１移動部材７１の図において左側端部に取り付けられ、右側のプーリ７４を周ってワイヤの他端が第２移動部材７２の左側端部に取り付けられている。第２ワイヤ８２は、その一端が第１移動部材７１の図において右側端部に取り付けられ、左側のプーリ７３を周ってワイヤの他端が第２移動部材７２の右側端部に取り付けられている。
【００５３】
なお、第１移動部材７１にはシャッタ部材６１が固定されており、そのシャッタ部材６１の図において右側にダクト４１が位置している。また、スプリング係止部５３と第２移動部材７２の右側端部との間に引張りスプリング５４が張設されている。
【００５４】
図８（ａ）に示すように、シャッタ開閉ブラケット５２を装置本体に取り付けた（図示しないネジにより固定した）状態では、シャッタ開閉ブラケット５２が第２移動部材７２を図の右側（装置本体の内部側）に押し込み、シャッタ部材６１はダクト４１の左側に位置しており、ダクト４１が開放された状態である。このとき、スプリング５４は伸張されている。
【００５５】
その図８（ａ）の状態から、図８（ｂ）に示すように、シャッタ開閉ブラケット５２を取り外すと、引張りスプリング５４により第２移動部材７２が図の左方向に引っ張られて移動する。これにより、第１ワイヤ８１の下辺は左方向に、上辺は右方向に引っ張られる。その結果、第１移動部材７１及びシャッタ部材６１が図において右方向に移動し、図８（ｃ）に示すように、シャッタ部材６１がダクト４１の下に（図は下方から見上げた底面図である）来てダクトが閉鎖される。すなわち、シャッタが閉鎖される。
【００５６】
次に、図８（ｃ）に示す状態（シャッタ閉鎖状態）から、図８（ｄ）に示すように、シャッタ開閉ブラケット５２を装着して第２移動部材７２を図の右側（装置本体の内部側）に押し込むと、第２ワイヤ８２の下辺は右方向に上辺は左方向に引っ張られる。その結果、第１移動部材７１及びシャッタ部材６１が図において左方向に移動し、図８（ｅ）に示すように、ダクト４１が開放される。すなわち、シャッタが開放される。
【００５７】
この模式図で説明したように、プーリとワイヤ部材を用いた駆動機構によっても、シャッタ部材を開放位置に保持させる部材の着脱方向とシャッタ部材の移動方向とを、互いに逆向きとなるように構成することが可能である。
【００５８】
以上、本発明を図示例により説明したが、本発明はこれに限定されるものではない。
例えば、シャッタ機構の構成やシャッタ部材の形状などは、適宜変更可能である。また、シャッタを開閉させる部材としてのシャッタ開閉ブラケットの形状等も任意である。維持回復装置の方式も任意である。
【００５９】
プーリとワイヤ部材を用いた駆動機構においては、プーリ及びワイヤの配設方法も任意である。
インクジェット記録装置においては、インクの色数は４色に限らず、任意の色数で構成できるものである。また、ヘッドの構成やヘッド数も任意である。インクカートリッジをヘッドと別体とせず、ヘッド部にインクカートリッジを備える構成でも良い。スキャナ部の構成や、ＡＤＦの有無等も任意である。画像形成装置としてはファクシミリやプリンタの機能を有する複合機であっても良い。あるいはスキャナ部を有さないプリンタとして構成することも可能である。
【図面の簡単な説明】
【００６０】
【図１】本発明に係るインクジェット記録装置の一例であるインクジェット複写装置の内部構成を示す断面図である。
【図２】維持回復ユニットと廃液タンクを示す斜視図である。
【図３】その維持回復ユニットを取り除いた様子を示す斜視図である。
【図４】シャッタ機構の構成と動作を説明する図で、シャッタが開いた状態を示す。
【図５】シャッタ機構の構成と動作を説明する図で、シャッタが閉じた状態を示す。
【図６】タンク固定部材とシャッタ開閉ブラケットを一体化させた部材を示す斜視図である。
【図７】シャッタ開閉ブラケットを装置の外装カバーとを一体化させた構成を示す斜視図である。
【図８】プーリとワイヤ部材を用いてシャッタを開閉させるための駆動機構を概念的に示す模式図である。
【符号の説明】
【００６１】
２５            インクジェットエンジン
２８            印字ヘッド
４０            維持回復ユニット
４１            ダクト
４２            ブラケット
５０            廃液タンク
５１            タンク固定部材
５２            シャッタ開閉ブラケット（保持部材）
５４            引張りスプリング
６０            シャッタ機構
６１            シャッタ部材
６２，６３      ラック部材
１００          インクジェット複写装置
１５０          タンク固定及びシャッタ開閉部材
２５０          側面カバー
【図１】
0004674127.tif 000002
【図２】
0004674127.tif 000003
【図３】
0004674127.tif 000004
【図４】
0004674127.tif 000005
【図５】
0004674127.tif 000006
【図６】
0004674127.tif 000007
【図７】
0004674127.tif 000008
【図８】
0004674127.tif 000009